(57)【要約】      （修正有）【課題】従来の懐中電灯に、振動等を感知して自動で点灯する機能を付与する。【解決手段】自動スイッチ装置は、上部端子１と、下部端子２と、電気伝導体３と、上部端子１の一端に接続された電極リード線５aと、下部端子２の一端に接続された電極リード線５bと、上部端子１と下部端子２と電気伝導体３を収納する枠体４とから構成される。また、上部端子１は、枠体４内の上部に配置され、下部端子２は、略Ｖ字形状を形成して、枠体４内の下部に配置され、電気伝導体３は、上部端子１と下部端子２の空隙に遊動できる状態で収納されている。【選択図】図１
2014216281.tif 000002
【特許請求の範囲】
【請求項１】
枠体と、
前記枠体の上部に配置された上部端子と、
前記枠体の短辺方向の壁面から突出した前記上部端子の一端に接続された電極リード線と
前記枠体の下部に配置された略Ｖ字形状の下部端子と、
前記枠体の短辺方向の壁面から突出した前記下部端子の一端に接続された電極リード線と
前記枠体内の上部端子と下部端子との空隙内に遊動できる状態で収納された電気伝導体とを具備し、
前記リード線は、懐中電灯の端子盤に接続され、
前記枠体が短辺方向に傾く事で、
前記電気伝導体が前記空隙内を転がり、上部端子と下部端子と接触することで、通電することを特徴とする懐中電灯用自動スイッチ装置。
【請求項２】
上記リード線の一端に挟持体が結合されていることを特徴とする請求項１に記載の
懐中電灯用自動スイッチ装置。
【請求項３】
上記枠体は、その横断面形状が偏平細長状のホームベース形状であることを特徴とする請求項１乃至２に記載の懐中電灯用自動スイッチ装置。
【発明の詳細な説明】
【技術分野】
【０００１】
本発明は不意に発生する振動例えば地震の振れを検知してランプを点灯させることができる懐中電灯用自動スイッチ装置に関するものである。
【背景技術】
【０００２】
従来、懐中電灯は、携帯用の照明器具として身近なところに置いて必要時に電源を入れて使用するものであり、予め懐中電灯の保管場所を把握しておく必要があった。
【０００３】
また、従来の懐中電灯は不意に発生する振動例えば地震等の緊急事態発生時に保管場所を明確に視差できる構造になっていないため、夜間に室内照明用の電源が遮断された時は、使用者は懐中電灯の保管場所を見出すことができず、緊急事態発生時に居た場所から屋外等へ脱出することが困難であった。
【０００４】
そこで、特許文献１や特許文献２のように振動を感知したら懐中電灯が自動的に点灯する自動点灯機構を有するものが提案されている。
【先行技術文献】
【特許文献】
【０００５】
【特許文献１】特開２００６−７３４９２
【特許文献２】特許第４９６８８０９号
【発明の概要】
【発明が解決しようとする課題】
【０００６】
しかしながら、上述の自動点灯機構を有する懐中電灯は、従来の懐中電灯が持つ点灯機構と自動点灯機構が一体であるため、消費者は地震等に備えるため一体型の非常用懐中電灯を所持しておく必要があった。
【０００７】
本発明はこのような問題に鑑みなされたもので、その目的とするところは、本発明に係る自動スイッチ装置を、点灯機構を持つ従来の懐中電灯に後付することで、従来の懐中電灯に、振動等を感知して自動で点灯する機能を付与するというものである。
【課題を解決するための手段】
【０００８】
上記目的を達成するための本発明に係る自動スイッチ装置の構造を図1を用いて説明する。
本発明に係る自動スイッチ装置は、
（１）上部端子１と、
（２）下部端子２と、
（３）電気伝導体３と、
（４）上部端子１の一端に接続された電極リード線５aと、
（５）下部端子２の一端に接続された電極リード線５bと、
（６）上部端子１と下部端子２と電気伝導体３を収納する枠体４とから構成される。
また、上部端子１は、前記枠体４内の上部に配置され、
下部端子２は、略Ｖ字形状を形成して、前記枠体４内の下部に配置され、
電気伝導体３は、上部端子１と下部端子２の空隙６に遊動できる状態で収納されている。
【０００９】
本発明に係る自動スイッチ装置の電極リード線５aと電極リード線５bを従来の懐中電灯の端子盤１１の電極端子に並列に接続することで、従来の懐中電灯に振動等を感知して自動で点灯する機能を付与することが可能となる。
【発明を実施するための形態】
【００１０】
以下本発明の実施の形態を図面にもとづいて説明する。
図１は、本発明に係る自動スイッチ装置の概略機構を示す正面断面図である。
図２は、本発明に係る自動スイッチ装置が短辺方向に９０度変位した場合の正面断面図である。
図３は、本発明の実施例１に係る自動スイッチ装置の概略構造を示す側面図である。
図４は、本発明の偏平細長状のホームベース形状の枠体４を示す正面断面図である。
図５は、本発明に係る自動スイッチ装置の概略構造を示す斜視図である。
図６は、本発明に係る自動スイッチ装置の電気回路を示す概略回路図である。
図７は、本発明に係る自動スイッチ装置と懐中電灯端子盤との接続状態を示す概略正面図である。
図８は、懐中電灯端子盤上に配置された回路を示す概略背面図である。
図９は、本発明に係る自動スイッチ装置と懐中電灯端子盤との接続状態概略を示す左側面図である。
図１０は、本発明に係る自動スイッチ装置と懐中電灯端子盤との接続状態概略を示す右側面図である。
図１１は、本発明に係る自動スイッチ装置と懐中電灯端子盤が接続された状態で９０度変位した状態を示す概略図である。
図１２は、本発明に係る自動スイッチ装置と懐中電灯端子盤との接続状態を示す概略斜視図である。
図１３は、本発明に係る電極リード線と挟持体の結合状態を示す概略斜視図及び挟持体の参考拡大上面図である。
図１４は、本発明に係る挟持体と懐中電灯端子盤との接続状態を示す概略斜視図である。
【実施例１】
【００１１】
自動スイッチ装置は、その枠体４が懐中電灯の端子盤１１に接続可能となっている。枠体４は絶縁材からなり、略直方体に形成されている。絶縁材（たとえば樹脂）からなる枠体４には、導体である上部端子１、下部端子２が配置されており、それぞれの端子の一端に電極リード線５aと電極リード線５bが接続されている。さらに、上部端子１と下部端子２に挟まれる空隙６に電気伝導体３が遊動できる状態で収納されている。なお、下部端子２を略Ｖ字形状とすることで、振動等がない平時のときは、電気伝導体３が凹部に納まり、通電を遮断状態にしておくことができる。
枠体４は厚みが１ｍｍの矩形状の樹脂からなり、幅１ｃｍ、高さ（短辺）が２ｃｍ、横幅（長辺）が４ｃｍとし、短辺を構成する側壁Ｉには上部端子１及び下部端子２の先端部が出る、孔７a及び孔７bが設けられている。なお枠体４は、その横断面形状が偏平細長状のホームベース形状であってもよい。
【００１２】
孔７aは、枠体４の短辺を構成する側壁Ｉと、枠体４の長辺を構成する上面Ｉに沿って配置された上部端子１の延長線が交差する部分に設けられる。
【００１３】
孔７bは、短辺を構成する側壁Ｉ上に設けられる。例えば、電気伝導体３の直径が１５ｍｍの時には側壁Ｉの上端より１０ｍｍの位置。なお、当該位置は電気伝導体３の直径の変化に伴い、電気伝導体３が上部端子１と下部端子２に挟持される最適な位置を制御することが可能である。例えば、電気伝導体３の直径が３０ｍｍの時には側壁Ｉの上端より２０ｍｍの位置。
なお、本実施例に置いては、孔７bの位置は電気伝導体３の直径に依存し、電気伝導体３の直径の２／３の長さを孔７bの位置決めの根拠としているが、電気伝導体３と孔７bの位置決めの関係はこれに限定するものではなく、孔７bの位置は側壁Ｉの上端より、電気伝導体３の直径の１／３以上の長さの位置で電気伝導体３の直径より短かい位置であればよい。
【００１４】
上部端子１は、厚み０．０１ｍｍ、幅７ｍｍのステンレス板からなり、枠体４の上部に配置し、当該端子の両端を孔７aから１ｃｍ程度出して、枠体の上方に折り曲げて固定する。なお、ステンレス板に替えて真鍮板を用いてもよい。
【００１５】
下部端子２は、厚み０．０１ｍｍ、幅７ｍｍのステンレス板からなり、枠体４の下部に配置し、当該端子の両端を孔７bから１ｃｍ程度出して、枠体の下方に折り曲げて固定する。なお、ステンレス板に替えて真鍮板を用いてもよい。
【００１６】
電気伝導体３は、厚み７ｍｍ、直径１５ｍｍ、重さ１０ｇの円盤形状の鉛材からなり、上部端子１と下部端子２に挟まれる空隙６に遊動できる状態で収納される。電気伝導体３の形状は球状でもよい。
なお、電気伝導体３の厚みは枠体４の幅より薄い厚みとすることで、電気伝導体３が良好に遊動可能となる。
【００１７】
以下自動スイッチ装置と懐中電灯の端子盤の接続状態について説明する。
【００１８】
懐中電灯の端子盤１１には、電球８と接続されたプラス（＋）端子１０a、１０b及びマイナス（−）端子９が配置され、懐中電灯のスイッチと接続されている。
【００１９】
自動スイッチ装置は、自動スイッチ装置の直方体長辺方向を下にする形で懐中電灯の端子盤１１に設置され、自動スイッチ装置の枠体４から出た上部端子１に接続されている電極リード線５aと端子盤１１に配置されたプラス（＋）端子１０bとが、
自動スイッチ装置の枠体４から出た下部端子２に接続されてる電極リード線５bと端子盤１１に配置されたマイナス（−）端子９とがハンダ等で懐中電灯の端子盤１１の電極端子に並列に接続され、懐中電灯内に格納されている。なお、電極リード線５a、５bの先端にプラス（＋）端子１０ｂやマイナス（−）端子９を挟み込む状態で接続される挟持体１２を結合させることで、電極リード線５aとプラス（＋）端子１０ｂを、電極リード線５ｂとマイナス（−）端子９を容易に接続することが可能となる。
【００２０】
自動スイッチ装置は枠体４の角度が短辺方向に傾くと電気伝導体３が空隙６内を転がり、上部端子１と下部端子２に挟持され、同時に上部端子１と下部端子２が電気伝導体３を介して通電することとなる。
【００２１】
実施例１に示す自動スイッチ装置が接続・格納された懐中電灯は、スイッチを押し下げ等することで点灯させる本来の機能を保持しつつ、地震等による振動で当該懐中電灯が転倒した場合には自動で点灯する機能が付加された非常用懐中電灯となる。
【図面の簡単な説明】
【００２２】
【図１】本発明に係る自動スイッチ装置の概略機構を示す正面断面図である。
【図２】本発明に係る自動スイッチ装置が短辺方向に９０度変位した場合の正面断面図である。
【図３】本発明の実施例１に係る自動スイッチ装置の概略構造を示す側面図である。
【図４】本発明の偏平細長状のホームベース形状の枠体４を示す正面断面図である。
【図５】本発明に係る自動スイッチ装置の概略構造を示す斜視図である。
【図６】本発明に係る自動スイッチ装置の電気回路を示す概略回路図である。
【図７】本発明に係る自動スイッチ装置と懐中電灯端子盤との接続状態を示す概略正面図である。
【図８】懐中電灯端子盤上に配置された回路を示す概略背面図である。
【図９】本発明に係る自動スイッチ装置と懐中電灯端子盤との接続状態概略を示す左側面図である。
【図１０】本発明に係る自動スイッチ装置と懐中電灯端子盤との接続状態概略を示す右側面図である。
【図１１】本発明に係る自動スイッチ装置と懐中電灯端子盤が接続された状態で９０度変位した状態を示す概略図である。
【図１２】本発明に係る自動スイッチ装置と懐中電灯端子盤との接続状態を示す概略斜視図である。
【図１３】は、本発明に係る電極リード線と挟持体の結合状態を示す概略斜視図及び挟持体の参考拡大上面図である。
【図１４】は、本発明に係る挟持体と懐中電灯端子盤との接続状態を示す概略斜視図である。
【符号の説明】
【００２３】
１  上部端子
２  下部端子
３  電気伝導体
４  枠体
５a、５b  電極リード線
６  空隙
７a、７b  孔
８  電球
９  マイナス（−）端子
１０a、１０b  プラス（＋）端子
１１  端子盤
１２  挟持体
Ｉ  側壁（短辺）
Ｉ’側壁（長辺）
Ａ  従来の懐中電灯に備えられているスイッチ
Ｂ  本発明に係る自動スイッチ装置
Ｃ  電球
Ｄ  電池
【図１】
2014216281.tif 000003
【図２】
2014216281.tif 000004
【図３】
2014216281.tif 000005
【図４】
2014216281.tif 000006
【図５】
2014216281.tif 000007
【図６】
2014216281.tif 000008
【図７】
2014216281.tif 000009
【図８】
2014216281.tif 000010
【図９】
2014216281.tif 000011
【図１０】
2014216281.tif 000012
【図１１】
2014216281.tif 000013
【図１２】
2014216281.tif 000014
【図１３】
2014216281.tif 000015
【図１４】
2014216281.tif 000016